(57)【要約】  【課題】弦楽器の棹に直接に密閉空洞を形成することで計画的に予め設計した通りの密閉空洞を形成して減衰時間の長い良音質を得る。  【解決手段】三線等の弦楽器の棹部２の内部に棹の長手方向の細長い空洞１を形成すると、弦の振動に前記空洞１が共鳴するので、弦の振動に胴部が共鳴して音を出す作用と相まって、弦楽器全体の共鳴音の減衰時間が延び音質が改善される。また、棹２に空洞１が出来るため、棹部２が軽量化される。この空洞１の一端又は両端が開放していると、音が逃げてしまって、音質が悪くなるが、前記空洞１の両端が閉じられて密閉していると、共鳴音が逃げないので、音質が改善される。【選択図】図２
2013068943.tif 000002
【特許請求の範囲】
【請求項１】
弦楽器の棹部の内部に棹の長手方向の細長い空洞を形成して、音質の改善と棹部の軽量化を実現してなる弦楽器。
【請求項２】
前記空洞は両端が閉じられた密閉構造であることを特徴とする請求項１に記載の弦楽器。
【請求項３】
弦楽器の棹部の内部に棹の長手方向の空洞を形成して、両端を閉じることで、音質の改善と棹部の軽量化を実現することを特徴とする弦楽器の音質向上方法。
【発明の詳細な説明】
【技術分野】
【０００１】
本発明は、三味線（沖縄の三線を含む）などの音質向上のために棹の内部に密閉空洞を開けた弦楽器に関する。
【背景技術】
【０００２】
特願2010−156876のように、カンカラ三線の音質向上のために、空き缶の底も開けて円筒状に形成し、空いた底部に布や皮を張ることが提案されているが、空き缶からなる胴が前提となるので、汎用性が無い。
特開2007-47688のように、ギターの胴につき、裏板をチタン合金製にした技術が知られているが、三味線の胴のように裏側に動物の皮を張る構造には適用できない。
【先行技術文献】
【特許文献】
【０００３】
【特許文献１】特開平８−160940
【発明の概要】
【発明が解決しようとする課題】
【０００４】
一方、特許文献１のように、合成樹脂製の棹では、補強の目的で金属製の筒体をインサートする際に両端から樹脂が入り込み、結果的に棹部に空洞が形成されることが開示されている。しかしながら、筒体の両端に樹脂が入り込む際の条件が一定に保障されず、成り行き任せのため、空洞を一定に制御できないという問題がある。しかも、金属製の補強筒体が必要となる。
本発明の技術的課題は、このような問題に着目し、弦楽器の棹に直接に密閉空洞を形成することで計画的に予め設計した通りの密閉空洞を形成して減衰時間の長い良音質を得ることにある。
【課題を解決するための手段】
【０００５】
請求項１は、弦楽器の棹部の内部に棹の長手方向の細長い空洞を形成して、音質の改善と棹部の軽量化を実現してなる弦楽器である。先に棹を形成した後に空洞を形成する場合は、ドリルで穴あけするのがよい。溝を形成して貼り合わせて棹を形成することも可能である。
【０００６】
請求項２は、前記空洞は両端が閉じられた密閉構造であることを特徴とする請求項１に記載の弦楽器である。閉じ方は、どのような方法でもよい。
【０００７】
請求項３は、弦楽器の棹部の内部に棹の長手方向の空洞を形成して、両端を閉じることで、音質の改善と棹部の軽量化を実現することを特徴とする弦楽器の音質向上方法である。
【発明の効果】
【０００８】
請求項１のように、弦楽器の棹部の内部に棹の長手方向の細長い空洞を形成すると、弦の振動に前記空洞が共鳴するので、弦の振動に胴部が共鳴して音を出す作用と相まって、弦楽器全体の共鳴音の減衰時間が延び音質が改善される。また、棹に空洞が出来るため、棹部が軽量化される。
【０００９】
前記空洞の一端又は両端が開放していると、音が逃げてしまって、音質が悪くなるが、請求項２のように、前記空洞の両端が閉じられて密閉していると、共鳴音が逃げないので、音質が改善される。
【００１０】
請求項３のように、弦楽器の棹部の内部に棹の長手方向の細長い空洞を形成し、両端を閉じて密閉する方法によると、共鳴音の減衰の少ない、良音質が得られるだけでなく、棹部が軽量化される。
【図面の簡単な説明】
【００１１】
【図１】本発明を三線に実施した場合の平面図である。
【図２】図１の三線の棹の長手方向の断面図である。
【図３】図２のＡ−Ａ方向の拡大断面図である。
【図４】従来の三線の波形を示す図である。
【図５】本発明により空洞を設けた三線の波形を示す図である。
【発明を実施するための形態】
【００１２】
次に本発明による弦楽器が実際上どのように具体化されるか実施形態を詳述する。図１は、本発明を三線に実施した場合の平面図であり、本発明による空洞１は破線で示されている。空洞１が開けられた棹２は、断面形状を示す図２から明らかなように、胴部３を貫通する心軸４を有している。
また、反対側に形成された糸巻き枠（弦蔵）５には、男弦６、中弦７、女弦８をそれぞれ巻き取る糸巻き棒６' 、７' 、８' をそれぞれ支持し、胴部３側に歌口９を設けてある。
【００１３】
三線の胴部３は、本皮製品の場合は、ニシキヘビの皮を表裏に貼ってあり、人工皮製品の場合は、サテンなどの丈夫な繊布を表裏に貼った構成になっている。
そして、３本の弦６〜８の根元は、糸掛け１０で纏めて猿尾１１に取付け、３本の弦６〜８と胴表３１との間に駒１２を挟み、各弦６〜８の振動が胴部に伝わるように構成されている。
【００１４】
このような構成において、前記細長い空洞１は、図２からも明らかなように、弦蔵５側の端部1aも胴部３側の端部1bも閉じられており、密閉構造となっている。また、空洞１の棹２と直角方向の形状は、図３のように円形をしている。
この密閉空洞１を形成するには、ドリルで心軸４側から穴開けして空洞１を形成した後に、空洞１の端部1bを塞いである。
【００１５】
このように棹２の内部に、棹２の長手方向の細長い空洞１が有ると、弦６〜８の振動が歌口９や弦６〜８の指先で押さえた部位を通して伝わり、棹２中の細長い空洞１中の空気が共鳴し、かつ胴部３の共鳴と相まって、音質が向上する。すなわち、空洞１の共鳴が胴部３の共鳴に加わるので、音が大きくなる上に減衰が長くなり、音色も良くなる。
チューナーで測定した結果、棹２に細長い空洞１を設けると、空洞を有しない三線に比べて、共鳴音が２〜３秒も長かった。
次に、測定方法を示し、測定結果を表１に示した。
【００１６】
三線の材料名：木魔王。三線Ａ・三線Ｂの材質：ほぼ同じ（木の固さ）。空洞有りを三線Ａとし、空洞なしを三線Ｂとする。
三線Ａと三線Ｂの発する音のテスト方法を以下に述べる。チューナーは、KORGINC.製。モデルNo.CA-40。下記の三線調弦表を使用。テスト者：国吉清徳。テスト場所：室内での反響音を防ぐ為、屋外で行った。
調弦方法：本調子（調弦の基本開放弦）、第１弦ド、第２弦ファ、第３弦ド。調弦音の高さ（１）、第１弦Ａ、第２弦Ｄ、第３弦Ａ。
音の高さ（２）第１弦Bb、第２弦Eb、第３弦Ｂ。
音の高さ（３）第１弦Ｂ、第２弦Ｅ、第３弦Ｂ。
三線Ａと三線Ｂのテスト結果、三線Ａのチューナーの音の振動時間の表示が２〜３秒長かった。三線Ａの弦の振動が歌口９や弦６〜８の指先で押さえた部位を通して棹に伝わり、棹の振動や棹の空洞内の音の振動が胴部に伝わった結果であろう。音色が良かった。
【表１】
2013068943.tif 000003
【００１７】
平成２４年７月に、図４、図５のような波形図が得られた。図４に示した従来三線の波形に比べて、棹の内部に細長い空洞を形成した本発明三線の波形は、図５のように減衰が少なく、かつ徐々に減衰し、音質が改善されている。しかも、振幅が大きいことから、音も大きくなっている。
【００１８】
組立て式の三線のように、棹を繋いで所定の長さにする場合は、繋ぎ目からドリルで穴あけして空洞１を形成してから、最後に開口に栓を挿入して塞ぐことにより、密閉した空洞１を形成できる。
ギターなどのように、ネックの部分が広い楽器の場合は、空洞を複数本開けることができる。また、貼り合わせ式のネックの場合は、貼り合わせ面から溝を掘り、貼り合わせることで、密閉された空洞にすることもできる。
なお、本発明の発想は三線やギターに限らず、バイオリンなど他の弦楽器にも適用できる。
【産業上の利用可能性】
【００１９】
以上のように、本発明によると、弦楽器の棹の部分に棹の長手方向の細長い空洞を形成してあるので、弦の振動に前記空洞が共鳴し、弦の振動に胴部が共鳴して音を出す作用と相まって、弦楽器全体の共鳴音の減衰時間が延び音質が改善される。しかも、棹に空洞が出来るため、棹部が軽量化される。
【符号の説明】
【００２０】
１  空洞
２  棹
３  胴部
31  胴表
４  心軸
５  糸巻き枠（弦蔵）
６  男弦
７  中弦
８  女弦
９  歌口
10  糸掛け
11  猿尾
12  駒
1a・1b  端
【図１】
2013068943.tif 000004
【図２】
2013068943.tif 000005
【図３】
2013068943.tif 000006
【図４】
2013068943.tif 000007
【図５】
2013068943.tif 000008
【手続補正書】
【提出日】平成25年1月30日(2013.1.30)
【手続補正１】
【補正対象書類名】特許請求の範囲
【補正対象項目名】全文
【補正方法】変更
【補正の内容】
【特許請求の範囲】
【請求項１】
三味線の木製の棹部の内部に断面が円形で同一径の細長い空洞を形成し、両端は閉じてあることで、音質の改善を実現してなる三味線。
【請求項２】
三味線の木製の棹部の内部に断面が円形で同一径の細長い空洞を形成し、両端は閉じて、音質の改善を実現することを特徴とする三味線の音質向上方法。
【請求項３】
三味線の木製の棹部に、心軸側からドリルで穴あけした後、心軸側の端部を閉じることにより、断面が円形で同一径の細長い空洞を形成することを特徴とする三味線の製造方法。
【手続補正２】
【補正対象書類名】明細書
【補正対象項目名】０００５
【補正方法】変更
【補正の内容】
【０００５】
請求項１は、三味線の木製の棹部の内部に断面が円形で同一径の細長い空洞を形成し、両端は閉じてあることで、音質の改善を実現してなる三味線である。
【手続補正３】
【補正対象書類名】明細書
【補正対象項目名】０００６
【補正方法】変更
【補正の内容】
【０００６】
請求項２は、三味線の木製の棹部の内部に断面が円形で同一径の細長い空洞を形成し、両端は閉じて、音質の改善を実現することを特徴とする三味線の音質向上方法である。
【手続補正４】
【補正対象書類名】明細書
【補正対象項目名】０００７
【補正方法】変更
【補正の内容】
【０００７】
請求項３は、三味線の木製の棹部に、心軸側からドリルで穴あけした後、心軸側の端部を閉じることにより、断面が円形で同一径の細長い空洞を形成することを特徴とする三味線の製造方法である。
【手続補正５】
【補正対象書類名】明細書
【補正対象項目名】０００８
【補正方法】変更
【補正の内容】
【０００８】
請求項１のように、弦楽器の棹部の内部に棹の長手方向の細長い空洞を形成すると、弦の振動に前記空洞が共鳴するので、弦の振動に胴部が共鳴して音を出す作用と相まって、三味線全体の共鳴音の減衰時間が延び音質が改善される。ドリルで穴あけすると、断面が円形で同一径の細長い空洞を容易に形成できる。
【手続補正６】
【補正対象書類名】明細書
【補正対象項目名】００１０
【補正方法】変更
【補正の内容】
【００１０】
請求項３のように、弦楽器の棹部の内部に棹の長手方向の細長い空洞を形成し、両端を閉じて密閉する方法によると、共鳴音の減衰の少ない、良音質が得られる。